(57)【特許請求の範囲】
【請求項１】
遊技盤に取り付けられる取付基板に形成される大入賞口を閉じ、所定の信号により前方に開いてポケットを構成し、該ポケットに落ちた遊技球を大入賞口に導く開閉扉を有する大入賞口装置において、前記開閉扉のエッジラインを傾斜させるとともに、前記開閉扉の上縁を山形状に傾斜せしめたことを特徴とする大入賞口装置。
【請求項２】
前記開閉扉の前面を両側端から中央に向かって盛り上げた請求項１に記載の大入賞口装置。
【請求項３】
前記開閉扉の前面上端部のみを両側端から中央に向かって盛り上げた請求項２に記載の大入賞口装置。
【発明の詳細な説明】
【０００１】
【発明の属する技術分野】
本発明は、パチンコ遊技機に用いられる大入賞口装置に関する。
【０００２】
【従来の技術】
パチンコ遊技機の大入賞口装置は変動入賞装置あるいはアタッカとも言われ、遊技盤に取り付けられ、所定の遊技信号により著しく遊技球の入賞を容易にする装置である。この大入賞口装置として、例えば、図４に示すものが提案されている。図４は大入賞口装置の取付基板と大入賞口部分を示し、後部筐体部を省略した簡略化した斜視図である。
【０００３】
この大入賞口装置は、両翼に延びた弧状の取付基板10の中央上部に長方形に開口する大入賞口20が形成され、この大入賞口20を開閉する開閉扉30が前方に傾倒自在に取付基板10に支承されている。取付基板10の前面、大入賞口開口の左右および下部には装飾板11、12および13がはめ込まれ、両翼端には電飾用のカットレンズ14、15がはめ込まれており、大入賞口装置は取付基板10を遊技盤（図示せず）にねじ（図示せず）で固定することにより取り付けられ、遊技盤を飾る電飾装置としても機能する。
【０００４】
大入賞口20内には、非接触電磁センサーである遊技球センサーを内蔵した二つの入賞通路21、22が設けられ、両入賞通路21、22の間には傾動制御される傾動板23が位置し、傾動板23の傾き状態で大入賞口20に入る入賞球の入賞通路が決められる（図の場合入賞球は入賞通路21に導かれる）。通常、入賞通路21、22の一を特定入賞通路としてこの特定入賞通路に入賞球が入ると特定入賞状態（大入賞口が再度開放状態になる）が続くように制御する。
【０００５】
開閉扉30は、プラスチックから一体成形されるもので、通常は大入賞口20を閉鎖する扉板31と、扉板31の両側端に設けられる側板32、33と、扉板31（裏面）と側板32、33で形成されるポケットに落ちた遊技球を大入賞口20内に導くように扉板31の裏面に、下方に傾斜して形成されるガイドリブ34、35とを有する。ガイドリブ34、35の先端の間隙が丁度傾動板23の上方に位置する。
【０００６】
また、図５に示すように、開閉扉30の下端両側には回動軸36、37が形成され、回動軸37には開閉扉を傾倒（開放）、直立（閉鎖）する、例えば、電磁ソレノイドのフラッパのような駆動体に噛み合う伝達体38が形成されている。駆動体の上下動により開閉扉30は開放位置と閉鎖位置を取ることができる。なお、39は開閉扉30が開いたときの位置決めストッパである。
【０００７】
ところで、このような大入賞口装置においては、図５に示すように、開閉扉30を開いている最中に落下中の遊技球Ｂが、開閉扉30の前上縁角部Ｅ、以下これをエッジラインという、と遊技盤を覆う窓ガラスＷとの間に挟み込まれ、開閉扉30を開けない場合がある。
【０００８】
【発明が解決しようとする課題】
本発明はこのような従来の大入賞口装置の問題に鑑みなされたものであり、遊技球の挟み込みによる開放不良を解決した大入賞口装置を提供する。
【０００９】
【課題を解決するための手段】
すなわち、本発明は、遊技盤に取り付けられる取付基板に形成される大入賞口を閉じ、所定の信号により前方に開いてポケットを構成し、該ポケットに落ちた遊技球を大入賞口に導く開閉扉を有する大入賞口装置において、前記開閉扉のエッジラインを傾斜させるとともに、前記開閉扉の上縁を山形状に傾斜せしめたことを特徴とする。これにより、落下する遊技球が開閉扉のエッジラインと窓ガラスの間に挟み込まれてもエッジラインの傾斜方向に押しやられるように脱出でき、開閉扉の開放不良は起こらない。開閉扉の前面を両側端から中央に向かって盛り上げたもの、開閉扉の前面上端部のみを両側端から中央に向かって盛り上げたものはいずれも簡易な手段でかつ形態美を損なうことなくエッジラインを傾斜させることができる。
【００１０】
【発明の実施の形態】
以下、本発明の実施形態を示した図に基づき詳細に説明する。図１は本発明の大入賞口装置の一実施形態に用いる閉鎖時（直立時）の開閉扉を示す図で、図１(a)は正面図、図１(b)は上面図である。図２は、図１の開閉扉の作用を説明する図で図２(a)は正面図、図２(b)は上面図、図２(c)は側面図である。図３は本発明の大入賞口装置の他の実施形態に用いる閉鎖時（直立時）の開閉扉を示す図で、図３(a)は正面図、図３(b)は上面図である。
【００１１】
図１において、開閉扉30Aの扉板31Aはその前面を両側端から中央に向かって盛り上げ、左右対称に傾斜した肉厚（図１(b)）になしている。この開閉扉30Aはこの扉板31Aを除き他の構造は図４、図５に示した開閉扉30と同一であるので、この他の部分については図４、図５と同一の符号を付し説明は省略する。
【００１２】
このように扉板31Aが中央から左右に傾斜した肉厚をもっているので、図３に示すようにこの開閉扉30AのエッジラインＥＡも左右に傾斜して、エッジラインＥＡと窓ガラスＷの間に遊技球Ｂが挟まれても図に矢印で示すように左右いずれかの方向に絞り出されるように落下し、遊技球が挟まったまま開閉扉30Aが開かないといった開放不良は生じない。
【００１３】
なお、図１のものにおいては、扉板31全体の肉厚を傾斜させたものを示した。この場合、成形金型の形状が簡易になるが、扉板31Aの上端部のみの肉厚を変えるようにしてもエッジラインに傾斜を与えることができる。また、肉厚を中央から左右対称に変化させた。この場合は左右対称形でバランスのとれた美しい形となるが、場合によっては中心から左右対称にすることもなく、また、片流れで一方から他方の端部に一方向に肉厚を変えても良い。
【００１４】
また、エッジラインに傾斜を持たせるためには図３に示した開閉扉30Bのように扉板31Bの上縁を山形状に傾斜せしめたエッジラインＥＢを有するものであっても良いことは容易に理解されるであろう。この場合も図１の実施形態において説明したように左右対称的に傾斜せしめる必要は必ずしも必要ではない。各傾斜の大きさ、度合いについては開閉扉の大きさ、遊技球と開閉扉との摩擦係数などにより実験的定められる傾斜度とする。
【００１５】
以上の説明においては、図４、図５に示した大入賞口装置を基に本発明の大入賞口装置を説明したが本発明はこのような構成、構造、形状の大入賞口装置に限られるものではなく、大入賞口を開閉する開閉扉（傾倒開放および直立閉鎖動作を行うもの）を有する全ての大入賞口装置に適用できることは言うまでもない。
【００１６】
【発明の効果】
本発明は、遊技盤に取り付けられる取付基板に形成される大入賞口を閉じ、所定の信号により前方に開いてポケットを構成し、該ポケットに落ちた遊技球を大入賞口に導く開閉扉を有する大入賞口装置において、前記開閉扉のエッジラインを傾斜させたことを特徴とする。これにより、落下する遊技球が開閉扉のエッジラインと窓ガラスの間に挟み込まれてもエッジラインの傾斜方向に押しやられるように脱出でき、開閉扉の開放不良は起こらない。
【図面の簡単な説明】
【図１】本発明の大入賞口装置の一実施形態に用いる閉鎖時（直立時）の開閉扉を示す図で、図１(a)は正面図、図１(b)は上面図。
【図２】図１の開閉扉の作用を説明する図で、図２(a)は正面図、図２(b)は上面図、図２(c)は側面図。
【図３】本発明の大入賞口装置の他の実施形態に用いる閉鎖時（直立時）の開閉扉を示す図で、図３(a)は正面図、図３(b)は上面図。
【図４】大入賞口装置の一例の簡略化した前部斜視図。
【図５】図４の装置の開閉扉部の説明図、図５(a)は正面図、図５(b)は上面図、図５(c)は側面図。
【符号の説明】
20    大入賞口
30A、30B  開閉扉
31A、31B  扉板
ＥＡ、ＥＢ  エッジライン
【図１】
0004495315.tif 000002
【図２】
0004495315.tif 000003
【図３】
0004495315.tif 000004
【図４】
0004495315.tif 000005
【図５】
0004495315.tif 000006